(57)【要約】【課題】筐体内部に実装されたスピーカの近傍に筐体外部に通じる隙間が存在する場合に、該隙間によるスピーカの音響特性の劣化を防止する。【解決手段】スピーカ５は、筐体の背面側ケース３２の内面においてスピーカ放音孔３８の周囲に環状に設けられたスピーカ固定用リブ３９上に、スピーカ５の前面に固着された環状のクッション５２を介して当接されることにより、背面ケース３２の内面とスピーカ５の間に前気室を形成するように固定される。スピーカ５のフレーム５４に、実装時の回路基板３３と直交する方向に前記排気方向制御用リブ５７を形成し、この排気方向制御用リブ５７を回路基板３３に固定されたクッション部材３７に当接させることにより、スピーカの背面に設けた制動孔５５とヒンジ部との間を遮る壁を形成する。【選択図】        図７
2004343257.tif 000002
【特許請求の範囲】
【請求項１】
磁気回路を構成するヨークと薄膜フィルムからなる振動板の周囲を支持し、かつスピーカ背面からの排気を制動する排気制動孔を有するフレームを備えたダイナミック型スピーカを内蔵する携帯型電子機器において、
前記スピーカは、該スピーカの前面周囲に設けられた環状のクッションを介して前記携帯型電子機器筐体内面の放音孔周囲に固定されるとともに、前記フレームのスピーカ背面側の周囲に設けられた排気方向制御用リブを、前記携帯型電子機器筐体内の回路基板に配置されたクッション部材に当接することにより、前記排気制動孔からの排気方向が調整されていることを特徴とする携帯型電子機器におけるスピーカ固定構造。
【請求項２】
前記排気方向制御用リブは、前記携帯型電子機器筐体内部に実装された前記スピーカの近傍に存在する筐体外部に通じる隙間と前記排気制動孔とを遮るように、前記フレームのスピーカ背面側の周囲において少なくとも１８０度の範囲に設けられていることを特徴とする請求項１に記載の携帯型電子機器におけるスピーカ固定構造。
【請求項３】
前記携帯型電子機器筐体内面の放音孔周囲には前記スピーカの前面周囲に設けられた環状のクッションと当接する環状のスピーカ固定用リブが設けられており、前記薄膜フィルムからなる振動板と前記環状のクッションと前記環状のスピーカ固定用リブと前記筐体内面とにより、前記スピーカの前面に前気室が形成されていることを特徴とする請求項１または２に記載の携帯型電子機器におけるスピーカ固定構造。
【請求項４】
前記スピーカは、前記携帯型電子機器筐体内面に設けられたスピーカ固定用爪に前記フレームに設けられた固定用嵌合爪を係合することにより固定されていることを特徴とする請求項１〜３のいずれかに記載の携帯型電子機器におけるスピーカ固定構造。
【請求項５】
前記携帯型電子機器は携帯電話機であり、前記スピーカは、着信音やメロディーを鳴動するためのスピーカとして前記筐体の内面に固定され、前記排気方向制御用リブと前記回路基板に配置されたクッション材とにより、前記スピーカ背面制動孔と前記筐体に存在する筐体外部に通じる隙間との間を隔てる壁として形成されていることを特徴とする請求項１〜４のいずれかに記載の携帯型電子機器におけるスピーカ固定構造。
【請求項６】
前記携帯型電子機器は、受話部及び表示部を有する第１の筐体と送話部及びキー入力部を備える第２の筐体とがヒンジにより回動可能に連結されて前記ヒンジを軸に相互に回転して折り畳み可能に構成された携帯電話機であり、前記スピーカは、着信音やメロディーを鳴動するためのスピーカとして前記第１の筐体の背面側ケース内面に固定され、前記排気方向制御用リブと前記回路基板に配置されたクッション材とにより、前記スピーカ背面制動孔と前記ヒンジを隔てる壁が形成されていることを特徴とする請求項１〜４のいずれかに記載の携帯型電子機器におけるスピーカ固定構造。
【請求項７】
携帯型電子機器に搭載されるスピーカであって、
磁気回路を構成するヨークと薄膜フィルムからなる振動板の周囲を支持し、かつスピーカ背面からの排気を制動する排気制動孔を有するフレームと、前記スピーカの前面側に設けられ前記携帯型電子機器筐体内面の放音孔周囲に当接される環状のクッションと、前記フレームのスピーカ背面側の周囲に設けられ前記携帯型電子機器筐体内の回路基板に配置されたクッション材と当接することにより前記排気制動孔からの排気方向を調整する排気方向制御用リブを備えていることを特徴とするダイナミック型スピーカ。
【請求項８】
前記排気方向制御用リブは、前記フレームのスピーカ背面側の周囲において少なくとも１８０度の範囲に設けられていることを特徴とする請求項７に記載のダイナミック型スピーカ。
【請求項９】
前記排気方向制御用リブは、前記フレームと一体成形されていることを特徴とする請求項７または８に記載のダイナミック型スピーカ。
【請求項１０】
前記スピーカの前面側には、前記振動板への外部からのストレスを保護する放音孔を有するプロテクターが設けられ、前記環状のクッションは、前記プロテクターの周囲に貼付されるとともに、その前面にナイロン製のメッシュが貼付されていることを特徴とする請求項７〜９のいずれかに記載のダイナミック型スピーカ。
【請求項１１】
前記フレームには、前記携帯型電子機器筐体内面に設けられたスピーカ固定用爪と係合する固定用嵌合爪が一体に形成されていることを特徴とする請求項７〜９のいずれかに記載のダイナミック型スピーカ。
【発明の詳細な説明】
【０００１】
【発明の属する技術分野】
本発明は、スピーカを内蔵する携帯電話機等の携帯型電子機器におけるスピーカの取り付け構造、および携帯型電子機器への搭載に好適なスピーカの構造に関する。
【０００２】
【従来の技術】
携帯電話機には、通話用レシーバとしてのスピーカと、着信音や着信メロディーを鳴動するスピーカが内蔵されており、これらのスピーカを筐体内に実装したときの音響特性の改善、落下衝撃に対する保護等の観点から、携帯電話機のケースに設けられた音響放射開口部とスピーカの放音用開口部とを、粘弾性体で形成された保持部材からなる音響ダクトで連結する方法（特許文献１）、スピーカを、弾性体を介してケース内面の放音用開口部のある位置に密着させる方法（特許文献２）、あるいは携帯機器の筐体内面にスピーカを挿入する嵌合部を設け、嵌合部内にクッション部材を挿入した後、スピーカを押圧挿入して嵌合部に設けられた爪に係合させて固定し、さらにスピーカの背面側にスピーカの出力音響特性を調整するための小孔が設けられた蓋を被せる方法（特許文献３）等が提案されている。
【０００３】
【特許文献１】
特開平１１−１８１８２号公報
【特許文献２】
特開２００１−１２７８５３平号公報
【特許文献３】
特開２００１−１６８５５２平号公報
【０００４】
【発明が解決しようとする課題】
現在、主流となっている折り畳み型携帯電話機の着信音や着信メロディーを鳴動するスピーカは、スピーカの径と厚みの制約及び操作部側筐体と表示部側筐体との実装スペースとの関係から従来操作部側筐体に実装されることが多かったが、近年では、メロディーや待ち受け画面データの保存やカメラ機能付き携帯電話で撮影した画像データや動画データの保存のためのメモリーカードを挿入するスロットを実装する必要があるため操作部側筐体にスピーカを実装するスペースを確保することが困難となってきている。
【０００５】
このため、表示部側筐体にスピーカを実装することが必要となってきたが、近年では表示部側筐体の背面にもカラー液晶を搭載しているためスピーカを表示部側筐体の背面中央部に実装することはできず、従って、スピーカは上下筐体の結合部であるヒンジ部付近に実装されることが多くなってきている。
【０００６】
しかしながら、ヒンジ部は操作部側筐体と表示部側筐体の前面側ケースと背面側ケース、およびヒンジとが嵌合して構成されているため、これらの嵌合部には多くの隙間が生じる。スピーカが上下筐体の結合部であるヒンジ部付近に実装されている場合には、この隙間から筐体内部に実装されたスピーカの音漏れが発生し、音響特性の劣化が問題となる。
【０００７】
本発明の目的は、上記問題点に鑑み、筐体内部に実装されたスピーカの近傍に筐体外部に通じる隙間が存在する場合に、該隙間によるスピーカの音響特性の劣化を防止する手段を提供することにある。
【０００８】
本発明の他の目的は、上記スピーカの音響特性の劣化防止に加えて、落下等の衝撃からスピーカを保護することが可能な手段を提供することにある。
【０００９】
【課題を解決するための手段】
本発明の携帯型電子機器におけるスピーカ固定構造は、磁気回路を構成するヨークと薄膜フィルムからなる振動板の周囲を支持し、かつスピーカ背面からの排気を制動する排気制動孔を有するフレームを備えたダイナミック型スピーカを内蔵する携帯型電子機器において、前記スピーカは、該スピーカの前面周囲に設けられた環状のクッションを介して前記携帯型電子機器筐体内面の放音孔周囲に固定されるとともに、前記フレームのスピーカ背面側の周囲に設けられた排気方向制御用リブを、前記携帯型電子機器筐体内の回路基板に配置されたクッション部材に当接することにより、前記排気制動孔からの排気方向が調整されていることを特徴とする。
【００１０】
また、本発明の携帯型電子機器搭載用ダイナミック型スピーカは、磁気回路を構成するヨークと薄膜フィルムからなる振動板の周囲を支持し、かつスピーカ背面からの排気を制動する排気制動孔を有するフレームと、前記スピーカの前面側に設けられ前記携帯型電子機器筐体内面の放音孔周囲に当接される環状のクッションと、前記フレームのスピーカ背面側の周囲に設けられ前記携帯型電子機器筐体内の回路基板に配置されたクッション材と当接することにより前記排気制動孔からの排気方向を調整する排気方向制御用リブを備えていることを特徴とする。
【００１１】
本発明は、例えば実装の際にヒンジ側となるスピーカ本体フレームに、ヨーク側から回路基板方向に設けられた排気方向制御用リブと回路基板に貼付されるクッションとを備え、排気方向制御用リブをクッションに突き当てスピーカ背面制動孔とヒンジ部との間に壁を形成することであり、これにより背面制動孔からの排気がヒンジ部へ漏れることを抑制することができ、スピーカの音響特性の劣化を抑えることが可能となる。
【００１２】
また、スピーカ本体フレームに形成した排気方向制御用リブがクッション材を介して回路基板と接触しているため、スピーカの傾きを抑制しケースとスピーカとの間に隙間が生ずることを防止することができ、通常使用時はもとより使用者が誤って携帯電話機を落下した場合に於いてもスピーカの傾きが抑制されケースのスピーカ固定用リブ及び２極コネクタに過度な衝撃を与えることがなくなる。その結果、リブの破損防止及びコネクタの劣化／破損によるスピーカとの接触不良の発生を防止することを可能にする。
【００１３】
【発明の実施の形態】
図１は本発明が適用される折り畳み構造を有する携帯電話機の正面、側面および背面を示す外観図である。
【００１４】
図のようにこの折り畳み構造を有する携帯電話機は、キー操作部及びマイク部等を有する第１の筺体（以下、下側筐体という）２と、下側筺体２の上端部に設けられたヒンジ４にて回動可能に連結された表示部や受話音声用レシーバ等を有する第２の筺体（以下、上側筐体という）３とからなる構造となっており、ヒンジ４にて回動させることにより上側筺体３が下側筺体２に対して開閉されるようになっている。
【００１５】
また、下側筐体２は前面側ケース２１と背面側ケース２２からなり、上側筐体３は前面側ケース３１と背面側ケース３２からなり、それぞれ前面側ケースと背面側ケースをネジ止めすることにより固定され、内部に配置される構成要素を保持している。
【００１６】
下側筐体２には操作部やバッテリー、バイブレータ、制御回路等が配置される。主な構成要素として、前面側ケース２１の表面に配置された入力キーと、内部に、電源やキー入力部、表示部やスピーカ等の駆動回路、集積回路、無線回路等を有する回路基板、音声入力手段であるマイクロフォン、イヤホンジャック、画像やメロディーデータ記録用のメモリーカードを挿入するスロット、バッテリー等を有している。
【００１７】
上側筐体３には、その前面側ケース３１及び背面側ケース３２にそれぞれ表示部３４、４１が配置されている。また、前面側ケース３１には表示部３４の上部に受話用のレシーバ（スピーカ）が配置され、背面側ケース３２にはアンテナ６が設けられるとともに、着信音や着信メロディーを鳴動するためのスピーカが表示部４１とヒンジ４の間に配置されており、該スピーカからの出力音を放出するスピーカ放音孔３８が設けられている。
【００１８】
図２は、本発明の実施形態を示す上側筺体３の概略分解図である。
【００１９】
上側筺体３は、ヒンジ４が設けられ表示部３４が配置される正面側のケース３１と、背面側ケース３２とからなり、筐体内に固定される回路基板３３上には、スピーカ接触用コネクタ３６、液晶ディスプレイからなる表示部３４及び背面表示部４１、着信音や着信メロディーを鳴動するためのスピーカ５、受話音声を出力するためのレシーバ３５が配置されている。
【００２０】
着信音や着信メロディーを鳴動するためのスピーカ５は、背面側ケース３２の内面に固定され、後述するスピーカ５のフレームに一体形成された排気方向制御用リブが回路基板３３上に固定されたクッション材に当接するように配置される。また、背面側ケース３２には伸張可能なホイップアンテナ６が固定されている。
【００２１】
図３〜図５は、本実施形態において実装されるスピーカ５の構造を示しており、図３は、スピーカ５の正面、側面及び背面を示す外観図、図４は、図３のスピーカのＡ−Ａ’線における断面図、図５は、図３のスピーカの背面側から見た斜視図である。
【００２２】
スピーカ本体５１の構成は、図４に示す一般的なダイナミックスピーカの構造となっており、ネオジウムなどの永久磁石６１と、ヨーク５６と、永久磁石６１とヨーク５６との間に効率のよい磁束を形成するために永久磁石６１に貼り付けられたＳＰＣ等の材料で作られたトッププレート６２とから構成される磁気回路と、ヨーク５６とトッププレート６２間の磁気ギャップを横切るように配置されたボイスコイル６４と、ボイスコイル６４に支持されたＰＥＴなどの薄膜フィルムで出来た振動板６３と、ヨーク５６及び薄膜フィルムで出来た振動板６３の周辺部を保持しスピーカ５の外形を構成するＰＰＡ等のプラスティックで成型されたフレーム５４を有し、ボイスコイル６４に交流電流を流すことで発生する駆動力で振動板６３を振動させ発音するダイナミックタイプのスピーカである。
【００２３】
フレーム５４には、振動板６３が振動する際の背面からの排気を行う貫通孔である制動孔５５と、背面側ケース３２に実装する際の固定用嵌合爪５８と、回路基板３３に搭載実装された２極コネクタ３６と接触することによりスピーカ駆動信号を得るための電気信号入力用端子５３が設けられている。電気信号入力用端子５３は、Ｂｓ等の材質で作られており表面に３μｍ程度のＮｉ下地メッキの上に０．５μｍ程度の金メッキが施されている。
【００２４】
また、フレーム５４の背面の電気信号入力用端子５３と対向する側には、厚さ０．７ｍｍ程度の板状の排気方向制御用リブ５７が、実装時の回路基板３３と直交する方向に所定の幅で半周に渡り壁状に構成されている。本発明のスピーカの特徴は、このヨーク６１や電気信号入力用端子５３を保持するＰＰＡ等のプラスティックで成型されたフレーム５４に排気方向制御用リブ５７を設けたことにある。排気方向制御用リブ５７は、フレーム５４の成型金型の形状を変更することで、リブ幅、配置、範囲等を任意に設定することができる。
【００２５】
スピーカ５の前面側には、振動板６３を外部からのストレスから保護するために、放音孔を有するプロテクター５９が設けられており、プロテクター５９の上にはクッション５２が貼付されている。クッション５２は、独立発泡体であるポロンを環状に形成したクッション材とナイロン製のメッシュとが両面テープにより貼り合わせられて構成されたメッシュ付クッションであり、プロテクター５９の周囲に両面テープを用いて貼付されている。
【００２６】
図６は、本実施形態における上側筐体３の背面外観図であり、図７は、その縦方向（Ａ−Ａ’線）の断面図、図８は、その横方向（Ｂ−Ｂ’線）の断面図をそれぞれ示している。以下、図６〜図８を参照して、本実施形態の携帯電話機に於けるスピーカ固定構造について説明する。
【００２７】
上側筐体３内に配置される回路基板３３は、正面側ケース３１に設けられたリブにより内部でずれが無いように保持され背面側ケース３２との間で挟み保持されネジ止めされることで固定される。スピーカ５は、上側筐体３の背面表示部４１とヒンジ部４との間に実装され、背面側ケース３２に設けられた放音孔３８より出力音が放出される。
【００２８】
スピーカ５への入力信号は、回路基板３３に搭載実装された２極コネクタ３６がスピーカ５の電気信号入力用端子５３と接触して電気的に接続されることにより、この２極コネクタ３６を介して供給される。
【００２９】
スピーカ５は、背面側ケース３２の内面に環状に設けられたスピーカ固定用リブ３９上に、スピーカ５の前面に固着された環状のクッション５２を介して当接され、スピーカ５のフレーム５４に形成された固定用嵌合爪５８が背面側ケース３２の内面に設けられたスピーカ固定用爪４０により両側から嵌合されることにより背面ケース３２の内面に固定される。
【００３０】
その際、スピーカ５は、環状のクッション５２が厚み寸法に対し２０％程度圧縮されることにより、スピーカ５前面とスピーカ固定用リブ３９との間に隙間ができないように挟持され、スピーカ５と背面ケース３２との間に前気室を形成するように固定される。
【００３１】
このように、スピーカ５が上下筐体の結合部であるヒンジ部付近に実装された場合、ヒンジ部はそれぞれ操作部側筐体と表示部側筐体の前面側ケースと背面側ケース、ヒンジで構成されているため必然的に隙間が生じており、この隙間より筐体外部へのスピーカの音漏れが発生し音響特性の劣化が問題となる。この特性劣化を抑制するためには、振動板が振動して音を発生する際にスピーカの背面に設けた制動孔５５からでる排気がヒンジ部へ漏れることを防止することが必要である。
【００３２】
そこで本実施形態では、スピーカ５のフレーム５４に、実装時の回路基板３３と直交する方向に前記排気方向制御用リブ５７を形成し、この排気方向制御用リブ５７を回路基板３３に固定されたクッション部材３７に当接させることにより、スピーカの背面に設けた制動孔５５とヒンジ部との間を遮る壁を形成する。そのため、回路基板３３には、予めスピーカ５の排気方向制御用リブ５７が突き当たる範囲にクッション部材３７が貼付されている。
【００３３】
クッション部材３７は、クッション材として独立発泡体であるポロン等でつくられ、片側には回路基板３３との接着用の両面テープが貼り付けられた構造となっており排気方向制御用リブ５７と回路基板３３が当接したときにスピーカ５の排気方向制御用リブ５７と回路基板３３との間で隙間ができないような形状に成型され、回路基板３３に予め貼付される。
【００３４】
スピーカ５が実装された背面ケース３２は、正面側ケース３１と嵌合し回路基板３３を挟み保持しケース３１とネジ止めされることで固定される。その際、回路基板３３は、表示部３４、背面表示部４１、レシーバ３５等を実装した状態でケース３１に設けられたリブにより内部でずれが無いように保持されている。
【００３５】
回路基板３３が正面側ケース３１と背面ケース３２の間に挟持されネジ止めされて実装された際に、回路基板３３に貼付されたクッション３７は、スピーカ５の排気方向制御用リブ５７と回路基板３３との間に隙間ができないように圧縮される。そのため、クッション３７の厚みは、実装時にスピーカ５のフレームに形成された排気方向制御用リブ５７と回路基板３３の間に生ずる隙間より多少厚く形成される。
【００３６】
図９は、本実施形態におけるクッション部材３７の２つの構成例（ａ）、（ｂ）を示す正面図及び断面図である。
【００３７】
クッション部材３７は、ポロン材を代表とする独立発泡体からなるクッション材４２と両面テープ４３とからなり、その形状は、図９（ａ）では、スピーカ５の排気方向制御用リブ５７の形状に沿った円弧状とし、実装ズレ等を考慮して排気方向制御用リブ５７よりも幅を０．６〜１．０ｍｍ程度大きく形成している。また、図９（ｂ）では、成形性やコストを考慮して形状を簡素化し、スピーカ５の排気方向制御用リブ５７の周囲径よりも０．６〜１．０ｍｍ程度大き径を有する半円状に形成している。
【００３８】
クッション部材３７の形状は、上記実施例に限定されるものではなく、排気方向制御用リブ５７を回路基板３３に固定されたクッション部材３７に当接させることにより、スピーカの背面に設けた制動孔５５と筐体外部に通じる隙間との間を隔てる壁を形成できる任意の形状を採用できる。
【００３９】
本実施形態の携帯型電子機器に於けるスピーカ固定構造によれば、実装状態においてスピーカ５のフレーム５４の背面側に回路基板３３と直交する方向に設けられた排気方向制御用リブ５７は、予め回路基板３３に貼付されたクッション部材３７に厚み寸法に対し２０％程度圧縮するように接触する。これにより、スピーカ５のヒンジ側周囲１８０度の範囲でスピーカ５の制動孔５５とヒンジ部との間に壁ができ、制動孔５５からの排気がヒンジ部へ漏れることを抑制することができ、スピーカ特性の劣化を抑えることが可能となる。
【００４０】
また、スピーカ５の排気方向制御用リブ５７がクッション３７を介し回路基板３３と接触しているため、筐体実装時のスピーカの傾きを抑制し背面ケース３２のスピーカ固定用リブ３９とスピーカ５との間に隙間が生ずることを防止している。従って、通常使用時はもとより使用者が誤って携帯電話機を落下した場合に於いてもスピーカの筐体内での傾きを抑制するため、背面ケース３２のスピーカ固定用リブ４０及び２極コネクタ３６に過度な衝撃を与えることがなくなりリブの破損防止及びコネクタの劣化や破損によるスピーカとの接触不良の発生を防止する役割も果たすことができる。
【００４１】
図１０〜図１１は、本発明の他の実施形態における携帯電話機の背面を示す外観図および内部構成の配置を示す概略斜視図である。
【００４２】
本実施形態は、スピーカ５が、折り畳み型の携帯電話機の下側筐体２に実装されている場合であり、スピーカ５からの出力音は下側筐体２の背面に配置されたスピーカ放音孔３８より出力される。
【００４３】
下側筐体２には、回路基板２０に搭載実装されたイヤホンジャック２６やメモリーカードスロット２７が実装されており、その近傍にスピーカ５が配置されている。回路基板２０を筐体に組み込んだ場合には、前記背面ケースと前記イヤホンジャック２６とメモリーカードスロット２７等との嵌合部に隙間が生じスピーカ特性の劣化が問題となる。
【００４４】
この劣化を抑制するため、スピーカ５は図１１に示すように、スピーカ５のフレームに一体成型された排気方向制御用リブ５７により、回路基板２０に予め貼付されたクッション部材２９を厚み方向で約２０％圧縮して回路基板２０に搭載実装された２極コネクタ２８と電気的に接触するよう配置され固定されている。
【００４５】
これによりイヤホンジャック２６やメモリーカードスロット２７でと前記背面ケースとの嵌合隙間とスピーカ５の背面制動孔５５との間に壁ができスピーカ背面制動孔５５からの排気が前述の隙間へもれることを抑制しスピーカ特性の劣化を防止することを可能としている。
【００４６】
また、スピーカ５の実装位置が実施例記載の第１の筐体となった場合において音漏れの要因となる箇所が実施例と異なる位置の場合は、排気方向制御用リブ５７の配置や長さ、リブ範囲を変更することで同様の効果を得ることも可能である。
【００４７】
【発明の効果】
本発明によれば、スピーカ本体５１のフレームのヨーク側から回路基板３３の方向に設けられた排気方向制御用リブ５７を回路基板３３に貼付されているクッションに突き当てスピーカとヒンジ部との間に壁を設けているので、スピーカの背面制動孔からの排気がヒンジ部へ漏れることを抑制しスピーカの音響特性の劣化を抑えることができる。
【００４８】
また、スピーカ５の排気方向制御用リブ５７が回路基板３３に貼付されたクッション３７を介し接触しているため、コネクタ３６と接触している電気信号入力用端子５３への応力と均衡がとれスピーカの傾きを抑制し背面ケース３２のスピーカ固定用リブ３９とスピーカ５との間に隙間が生ずることを防止することができ、通常使用時はもとより使用者が誤って携帯電話機を落下した場合に於いてもスピーカの傾きを抑制するため、背面ケース３２のスピーカ固定用リブ４０及び２極コネクタ３６に過度な衝撃を与えることがなくなりリブの破損防止及びコネクタの劣化／破損によるスピーカとの接触不良の発生を防止することが可能である。
【００４９】
また、スピーカ５が操作部側の筐体に実装される場合においても近年普及し始めている画像やメロディーデータ記録用のメモリーカードを挿入するスロットやイヤホンジャック付近にできる嵌合部の隙間からの音漏れを防止することが可能となる。
【図面の簡単な説明】
【図１】本発明が適用される折り畳み構造を有する携帯電話機の正面、側面および背面を示す外観図である。
【図２】本発明の実施形態を示す上側筺体３の概略分解図である。
【図３】本実施形態において実装されるスピーカ５の正面、側面及び背面を示す外観図である。
【図４】図３のスピーカのＡ−Ａ’線における断面図である。
【図５】図３のスピーカの背面側から見た斜視図である。
【図６】本実施形態における上側筐体３の背面外観図である。
【図７】本実施形態における上側筐体３の縦方向（Ａ−Ａ’線）の断面図である。
【図８】本実施形態における上側筐体３の横方向（Ｂ−Ｂ’線）の断面図である。
【図９】本実施形態におけるクッション３７の構成例を示す正面図及び断面図である。
【図１０】本発明の他の実施形態を示す下側筺体の背面外観図である。
【図１１】本発明の他の実施形態における内部構成の配置を示す概略斜視図である
【符号の説明】
１  携帯電話機
２  下側筐体
３  上側筐体
４  ヒンジ
５  スピーカ
６  アンテナ
２０，３３  回路基板
２１  下側正面ケース
２２  下側背面ケース
２６  イヤホンジャック
２７  メモリーカードスロット
２８  ２極コネクタ２８
２９，３７  クッション部材
３１  上側正面ケース
３２  上側背面ケース
３４，４１  表示部
３５  レシーバ
３６  スピーカ接触用コネクタ
３８  スピーカ放音孔
３９  リブ
５１  スピーカ本体
５２  メッシュ付きクッション
５３  電気信号入力用端子
５４  フレーム
５５  制動孔
５６  ヨーク
５７  排気方向制御用リブ
５８  固定用嵌合爪
５９  プロテクター
６１  永久磁石
６２  トッププレート
６３  振動板
６４  ボイスコイル
【図１】
2004343257.tif 000003
【図２】
2004343257.tif 000004
【図３】
2004343257.tif 000005
【図４】
2004343257.tif 000006
【図５】
2004343257.tif 000007
【図６】
2004343257.tif 000008
【図７】
2004343257.tif 000009
【図８】
2004343257.tif 000010
【図９】
2004343257.tif 000011
【図１０】
2004343257.tif 000012
【図１１】
2004343257.tif 000013